(57)【要約】  【課題】  電子機器において、防雨・防滴構造を得つつ、設計の自由度を拡げることができる様にする。  【解決手段】  ハーネス１０を介して基板６に接続される電子部材８を有する電子機器１において、該ハーネス１０の通過位置に、該ハーネス１０に折曲部１０ｂを形成する折曲部形成手段１１を設け、該折曲部形成手段１１より上方において、該ハーネス１０の基板側接続端１０ｃを該基板６に接続する。  【選択図】  図２
2006287662.tif 000002
【特許請求の範囲】
【請求項１】
ハーネスを介して基板に接続される電子部材を有する電子機器において、該ハーネスの通過位置に、該ハーネスに折曲部を形成する折曲部形成手段を設け、該折曲部形成手段より上方において、該ハーネスの基板側接続端を該基板に接続することを特徴とする電子機器。
【請求項２】
屋外等に設置され、ハーネスを介して基板に接続される電子部材を有する電子機器において、該ハーネスの通過位置に、該ハーネスに折曲部を形成する折曲部形成手段を設け、該ハーネスは、該折曲部形成手段によって形成される折曲部を介して下向きから上向きに折り返されるものとすることを特徴とする電子機器。
【請求項３】
屋外等に設置され、ハーネスを介して基板に接続される電子部材を有する電子機器において、該ハーネスの通過位置に、該ハーネスに折曲部を形成する折曲部形成手段を設け、該折曲部形成手段より上方において、該ハーネスの電子部材側接続端を該電子部材に接続すると共に、該ハーネスの基板側接続端を該基板に接続するものとし、該ハーネスは、該折曲部形成手段によって形成される折曲部を介して下向きから上向きに折り返されるものとすることを特徴とする電子機器。
【請求項４】
該折曲部形成手段が該基板側方の縦方向側壁に形成され、該ハーネスが挿通されるハーネス挿通溝部であり、該ハーネス挿通溝部は該基板に向けて上方に傾斜するものであることを特徴とする請求項１〜３の何れかに記載の電子機器。
【請求項５】
請求項１乃至４の何れかに記載の電子機器であって、該電子機器がマイクとスピーカを有するものであり、該マイク又はスピーカの一方が該ハーネスを介して該基板に接続される該電子部材であり、該マイクと該スピーカとを上下に離間させて配置することを特徴とする電子機器。
【請求項６】
該マイクと該スピーカとを斜め上下に配置することを特徴とする請求項５記載の電子機器。
【請求項７】
基板にマイク及びスピーカが取り付けられる電子機器において、前記マイクとスピーカ間の距離が、前記基板の対角線よりも長くなるように、前記マイク又はスピーカをハーネスを介して前記基板に接続することを特徴とする電子機器。
【発明の詳細な説明】
【技術分野】
【０００１】
この発明は、屋外等に設置され、電子部材を有する電子機器、例えば、戸建の住宅等の玄関前或いは集合住宅等の各戸の玄関前に設置されるインターホンや、集合住宅等の共同玄関前に設置される集合玄関機等のマイク、スピーカ、カメラ等の電子部材を有する電子機器に関する。
【背景技術】
【０００２】
前記の如き電子機器は、その設置環境に対応して防雨・防滴構造が採用されている。従って、従来の電子機器においては、それにハーネスによって基板に接続される電子部材、例えばマイク、スピーカ、カメラ等を装備させる場合は、ハーネスを伝って水滴が基板に浸入しない様にするために、その様な電子部材は基板の下方（電子機器設置状態における下方）に位置させていた。
【発明の開示】
【発明が解決しようとする課題】
【０００３】
従って、従来の電子機器においては、ハーネスによって基板に接続される電子部材を装備する場合、防雨・防滴構造を得るためには、基板に対する電子部材の配置が制限されることになるので、設計の自由度は狭いものとなっていた。
【０００４】
更に、電子機器が、元来配置に制限のある電子部材、例えばマイクとスピーカの様にハウリング防止の観点から近接配置が好ましくない電子部材が装備されるものである場合、防雨・防滴構造を得るための電子部材の配置の制限に加え、電子部材元来の配置の制限もあることとなるので、設計の自由度がより狭いものとなっていたのは勿論のこと、元来配置に制限のある電子部材を好ましい配置にすること、例えばマイクとスピーカとをハウリングの防止ができる程度に十分離間させることが困難となることがあった。
【０００５】
この発明は、上記事情に鑑み、電子機器において、防雨・防滴構造を得つつ、設計の自由度を拡げることができる様にすることを目的とする。
【０００６】
又、この発明は、上記事情に鑑み、元来配置に制限のある電子部材を備えた電子機器において、防雨・防滴構造を得つつ、設計の自由度を拡げ、且つ元来配置に制限のある電子部材を好ましい配置とすることができる様にすること、具体的には、マイクとスピーカを備えた電子機器において、防雨・防滴構造を得つつ、設計の自由度を拡げ、且つハウリングを防止することができる程度にマイクとスピーカとを離間させて配置することができる様にすることを目的とする。
【課題を解決するための手段】
【０００７】
この発明は、ハーネスを介して基板に接続される電子部材を有する電子機器において、該ハーネスの通過位置に、該ハーネスに折曲部を形成する折曲部形成手段を設け、該折曲部形成手段より上方において、該ハーネスの基板側接続端を該基板に接続するものとすることを特徴とする電子機器である。
【０００８】
又、この発明は、屋外等に設置され、ハーネスを介して基板に接続される電子部材を有する電子機器において、該ハーネスの通過位置に、該ハーネスに折曲部を形成する折曲部形成手段を設け、該ハーネスは、該折曲部形成手段によって形成される折曲部を介して下向きから上向きに折り返されるものとすることを特徴とする電子機器である。
【０００９】
又、この発明は、屋外等に設置され、ハーネスを介して基板に接続される電子部材を有する電子機器において、該ハーネスの通過位置に、該ハーネスに折曲部を形成する折曲部形成手段を設け、該折曲部形成手段より上方において、該ハーネスの電子部材側接続端を該電子部材に接続すると共に、該ハーネスの基板側接続端を該基板に接続するものとし、該ハーネスは、該折曲部形成手段によって形成される折曲部を介して下向きから上向きに折り返されるものとすることを特徴とする電子機器である。
【００１０】
又、この発明は、上記電子機器であって、該折曲部形成手段によって形成される該ハーネスの折曲部が該基板の側方に設けられていることを特徴とする電子機器である。
【００１１】
又、この発明は、上記電子機器であって、該折曲部形成手段が該基板側方の縦方向側壁に形成され、該ハーネスが挿通されるハーネス挿通溝部であり、該ハーネス挿通溝部は該基板に向けて上方に傾斜するものであることを特徴とする電子機器である。
【００１２】
又、この発明は、上記電子機器であって、該ハーネスの基板側接続端が差し込み式のコネクタを介して該基板に接続されるものであることを特徴とする電子機器である。
【００１３】
又、この発明は、上記電子機器であって、該電子機器がマイクとスピーカを有するものであり、該マイク又はスピーカの一方が該ハーネスを介して該基板に接続される該電子部材であり、該マイクと該スピーカとを上下に離間させて配置することを特徴とする電子機器である。
【００１４】
又、この発明は、上記電子機器であって、該マイクと該スピーカと斜め上下に離間させて配置することを特徴とする電子機器である。
【発明の効果】
【００１５】
この発明によれば、ハーネスを介して基板に接続される電子部材を有する電子機器において、ハーネスの通過位置に、ハーネスに折曲部を形成する折曲部形成手段を設け、折曲部形成手段より上方（ここで上方とは電子機器の設置状態における上方を意味する）において、ハーネスの基板側接続端を基板に接続するものとすることで、ハーネスに水滴が発生し、その水滴がハーネスを伝ったとしても、ハーネスの途中には折曲部形成手段によって折曲部が形成されており、又折曲部形成手段の上方においてハーネスの基板側接続端を基板に接続しているので、水滴が折曲部を越えてハーネスの基板側接続端まで伝わることはなく、即ち、基板への水滴の浸入を防止することができ、電子部材を基板の下方に配置せずとも、防雨・防滴構造を得ることができ、従って、防雨・防滴構造を得つつも、上記従来例に比すれば、設計の自由度を拡げることができる。
【００１６】
又、この発明によれば、ハーネスを介して基板に接続される電子部材を有する電子機器において、ハーネスの通過位置に、ハーネスに折曲部を形成する折曲部形成手段を設け、ハーネスは、折曲部形成手段によって形成される折曲部を介して下向きから上向きに折り返されるものとすることで、ハーネスに水滴が発生し、その水滴がハーネスを伝ったとしても、ハーネスの途中には折曲部形成手段によって折曲部が形成されており、又ハーネスは折曲部により下向きから上向きに折り返されているので、水滴が折曲部を越えて伝わることはなく、即ち基板側接続端まで伝わることはなく、基板への水滴の浸入を防止することができ、電子部材を基板の下方に配置せずとも、防雨・防滴構造を得ることができ、従って、防雨・防滴構造を得つつも、上記従来例に比すれば、設計の自由度を拡げることができる。
【００１７】
又、この発明によれば、ハーネスを介して基板に接続される電子部材を有する電子機器において、ハーネスの通過位置に、ハーネスに折曲部を形成する折曲部形成手段を設け、折曲部形成手段より上方において、ハーネスの電子部材側接続端を電子部材に接続すると共に、ハーネスの基板側接続端を基板に接続するものとし、更に、ハーネスは、折曲部形成手段によって形成される折曲部を介して下向きから上向きに折り返されるものとすることで、ハーネスに水滴が発生し、その水滴がハーネスを伝ったとしも、ハーネスの途中には折曲部形成手段によって折曲部が形成されており、又ハーネスは折曲部により下向きから上向きに折り返されているので、水滴が折曲部を越えて伝わることはなく、即ち、基板側接続端まで伝わることはなく、基板への水滴の浸入を防止することができ、電子部材を基板の下方に配置せずとも、防雨・防滴構造を得ることができ、従って、防雨・防滴構造を得つつも、上記従来例に比すれば、設計の自由度を拡げることができる。
【００１８】
又、この発明によれば、上記電子機器において、電子機器がマイクとスピーカを有するものとし、マイク又はスピーカの一方をハーネスを介して基板に接続される電子部材とし、マイクとスピーカとを上下に好ましくは斜め上下に離間させて配置するものとすることで、マイクとスピーカを有する電子機器において、防雨・防滴構造を得つつ、設計の自由度を拡げることができ、且つハウリングを十分に防止することができる程度にマイクとスピーカを離間して配置することができる。
【発明を実施するための最良の形態】
【００１９】
この発明の実施の形態を添付図１及び図２に基づき説明する。尚、図１は、この発明の電子機器の一例である集合玄関機を構成するカバーと本体との分解斜視図であり、図２は、同上の本体の背面図である。
【００２０】
図１において、１はこの発明の電子機器の一例である集合玄関機であり、カバー２と本体３とからなる。本体３には、スピーカボックス４に隣接してテンキー装置本体５が組み付けられている。カバー２は、テンキー装置本体５より分離して設けられると共に、カバー２の裏面側よりカバー２に取り付けられるキートップ部６を有している。更に、本体３には、図２の背面図にその詳細を示す様に、中央部に基板６が取り付けられており、その上方にカメラ収容部７が設けられいる。カメラ収容部７に隣接する位置にマイク８がその集音部を本体３に形成された集音孔８ａに向けて取り付けられている。マイク８と基板６とはハーネス１０によって接続されており、ハーネス１０のマイク側接続端１０ａ（電子部材側接続端）がマイク８に接続され、ハーネス１０の基板側接続端１０ｃが基板６の表側に実装された側方より差込接続式のコネクタ９を介して基板６に接続されている。
【００２１】
このように本実施形態では、、電子部材であるマイクやスピーカを、ハーネスを介して、基板にコネクタで接続するようにしてある。このハーネスを使用する利点は、基板にマイクを直付けする必要がないので、マイクを本体の隅、実施例では、本体右側上部（正面から見た場合）にあるカメラ収納部内に配置させることができる。こうしてマイクを基板の外側に位置させることで、マイクとスピーカ間の距離を、基板の最大長さとなる基板の対角線よりも大きくして、ハウリング防止に有利な配置構造とすることができる。これに対し、ハーネスを使用せずに、マイクとスピーカの距離をとる場合には、基板自体を大きくしなければならず、また基板上の取付位置も制限をうけることになる。
【００２２】
なお、カメラ収納部７は、縦壁によって周囲を囲われており、本体上部から水が入りこまないようになっている。このカメラ収納部７内にマイク８も一緒に設けることで、マイク８の防水効果を高めることができる。カメラ収納部７の下方に位置する縦壁であって、マイク８の下方に位置する部分には、ハーネス１０を挿通するための溝が設けられている。
【００２３】
ハーネス１０の通過途中には、ハーネス１０に折曲部１０ｂを形成する折曲部形成手段としてのハーネス挿通溝部１１が設けられており、このハーネス挿通溝部１１は、基板６の側方に位置する如く、基板６の側方において縦方向に延在する縦方向側壁１２に形成されている。又、このハーネス挿通溝部１１は、基板６に向かって上方に傾斜する如く形成されている。更に、このハーネス挿通溝部１１は本体３の背面側を開口させており、従ってハーネス１０の結線作業の際には本体３の背面側よりハーネス１０をハーネス挿通溝部１１内に押し込むことで簡単にハーネス挿通溝部１１内を挿通させることができる様になっている。又更に、このハーネス挿通溝部１１はその押し込み方向にテーパが形成されており、ハーネス１０をハーネス挿通溝部１１内に押し込むことで簡単にハーネス挿通溝部１１内に保持しておくことができる様になっている。
【００２４】
マイク８とコネクタ９は何れもハーネス挿通溝部１１の上方に位置しており、ハーネス１０は、ハーネス挿通溝部１１を通ることで、縦方向側壁１２の外側より基板６側に向けて、ハーネス挿通溝部１１に沿って斜め上方に向きを変えて、Ｕ字状に撓む折曲部１０ｂが形成され、折曲部１０ｂを介して下向きから上向きに、即ちＵ字状に折り返されている。従って、ハーネス１０は、マイク８側の接続端部１０ａを基端とすれば、マイク側接続端部１０ａより下降し、側壁１２の外側よりハーネス挿通部１１を通ることで、折曲部１０ｂを形成し、折曲部１０ｂを介して下向きから上向きに折り返して、下降から上昇に転じ、そしてコネクタ９側の接続端部１０ｃに至ることとなる。
【００２５】
従って、例えば結露等によりハーネス１０に水滴が発生し、その水滴がハーネス１０を伝ったとしても、ハーネス１０の途中には折曲部１０ｂが形成されており、折曲部１０ｂを介してハーネス１０は下向きから上向きに折り返されているので、水滴は折曲部１０ｂを越えて伝わることはなく、又、コネクタ９がハーネス挿通溝部１１より上方に位置しているので、コネクタ９まで伝わることはなく、即ち、基板６への水滴の浸入を防止することができ、マイク８を基板６の下方に配置せずに、基板６の上方に配置したとしても、防雨・防滴構造を得ることができ、従って、即ち、防雨・防滴構造を得つつも、上記従来例に比して設計の自由度を拡げることができる。また、折曲部１０ｂを基板の側方に設けたので、ハーネスの長さが必要以上に長くならない。
【００２６】
本実施の形態においては、マイク８を基板６の上方に配置し、スピーカボックス４内の図示しないスピーカはマイク８の斜め下方、即ち図２のスピーカ配置部４ａに配置している。これにより、防雨・防滴構造を得つつ、マイク８とスピーカボックス４内のスピーカとを、ハウリングを防止するのに十分な程度に離間して配置することができている。
【００２７】
本実施形態では、ハーネスに折曲部を形成する折曲部形成手段を、縦方向側壁に形成したハーネス挿通溝部で構成したが、例えば、側壁の外側に円筒状のボス又は柱を設け、このボスにハーネスを引っ掛けるように折り返して、ハーネスに折曲部を形成してもよい。また、電子機器として屋外等に設置される集合玄関機を例に説明したが、結露などによって防水が求められる屋内用の電子機器に本発明を適用してもよい。
【図面の簡単な説明】
【００２８】
【図１】この発明の電子機器の一例である集合玄関機を構成するカバーと本体との分解斜視図である。
【図２】同上の集合玄関における本体の背面図である。
【符号の説明】
【００２９】
１      集合玄関機
２      カバー
３      本体
４      スピーカボックス
５      テンキー装置本体
６      キートップ部
７      カメラ収容部
８      マイク
９      コネクタ
１０    ハーネス
１０ａ  マイク側接続端
１０ｂ  折曲部
１０ｃ  コネクタ側接続端
１１    ハーネス挿通溝部
１２    縦方向側壁
【図１】
2006287662.tif 000003
【図２】
2006287662.tif 000004